(57)【要約】  【課題】  モバイル・テレビジョンにおいて個人化広告を提供する方法及び装置を提供する。  【解決手段】  デジタル放送を介して放送されるサービスを個人化する、パーソナル・デバイスで使用される方法であって、前記パーソナル・デバイス上で表示される個人化用コンテンツを受信するステップと、前記コンテンツと、前記パーソナル・デバイス上に記憶されているユーザ・プロファイルとを比較して、前記パーソナル・デバイス上に記憶される記憶済み個人化コンテンツを生成するステップと、前記パーソナル・デバイス上で表示される放送サービスを受信するステップと、前記表示を所定の時点で停止させ、その代わりに前記記憶済み個人化コンテンツを表示させるステップと、を含む方法が提供される。  【選択図】  図４
2010502143.tif 000002
【特許請求の範囲】
【請求項１】
デジタル放送を介して放送されるサービスを個人化する、パーソナル・デバイスで使用される方法であって、
前記パーソナル・デバイス上で表示される個人化のためのコンテンツを受信するステップと、
前記コンテンツと、前記パーソナル・デバイス上に記憶されているユーザ・プロファイルとを比較して、前記パーソナル・デバイス上に記憶される記憶済み個人化コンテンツを生成するステップと、
前記パーソナル・デバイス上で表示される放送サービスを受信するステップと、
前記表示を所定の時点で停止させ、その代わりに前記記憶済み個人化コンテンツを表示させるステップと、
を含む方法。
【請求項２】
前記パーソナル・デバイス上にユーザ・プロファイルを記憶するステップを更に含む、請求項１に記載の方法。
【請求項３】
前記ユーザ・プロファイルを更新するステップを更に含む、請求項１又は２に記載の方法。
【請求項４】
前記ユーザに表示される、個人化のための更新されたコンテンツを受信するステップを更に含む、請求項１乃至３のいずれか一項に記載の方法。
【請求項５】
前記コンテンツを、個人化広告を形成するように個人化され得る広告オブジェクトとして受信するステップを更に含む、請求項１乃至４のいずれか一項に記載の方法。
【請求項６】
前記放送の前記表示を一般的な広告を含む広告スロットで停止させ、前記一般的な広告を前記個人化広告に置き換えるステップを更に含む、請求項５に記載の方法。
【請求項７】
前記個人化コンテンツの表示を第２の所定の時点で停止させ、前記放送の表示に戻るステップを更に含む、請求項１乃至６のいずれか一項に記載の方法。
【請求項８】
前記コンテンツをＦＬＵＴＥ伝送を介して受信するステップを更に含む、請求項１乃至７のいずれか一項に記載の方法。
【請求項９】
前記放送をＤＶＢ‐Ｈ規格を使用して受信するステップを更に含む、請求項１乃至８のいずれか一項に記載の方法。
【請求項１０】
デジタル放送を介してパーソナル・デバイスに放送されるサービスを個人化する方法であって、
前記パーソナル・デバイス上に表示される個人化のためのコンテンツであって、前記パーソナル・デバイス上に記憶される記憶済み個人化コンテンツを生成するために前記パーソナル・デバイス上に記憶されているユーザ・プロファイルと比較される個人化のためのコンテンツを送信するステップと、
前記パーソナル・デバイス上で表示されるサービスであって、前記記憶済み個人化コンテンツを表示すべき所定の時点で中断され得るサービスを前記パーソナル・デバイスに放送するステップと、
を含む方法。
【請求項１１】
請求項１乃至９のいずれか一項に記載の各方法ステップを実行するように適合された手段を備えるシステム。
【請求項１２】
請求項１０に記載の各方法ステップを実行するように適合された手段を備えるシステム。
【請求項１３】
請求項１乃至９のいずれか一項に記載の各方法ステップを実行するように適合された手段を備える装置。
【請求項１４】
それ自体がコンピュータ・システム上で実行されたときに請求項１乃至９のいずれか一項に記載の各方法ステップを実行する命令を備えるコンピュータ・プログラム。
【請求項１５】
それ自体がコンピュータ・システム上で実行されたときに請求項１０に記載の各方法ステップを実行する命令を備えるコンピュータ・プログラム。
【請求項１６】
それぞれユーザ・プロファイルが記憶されるメモリを有する複数のパーソナル・デバイスにサービスを放送するデジタル・ビデオ放送サービスを運営する方法であって、
第３者がユーザに表示される情報を記憶するための、前記パーソナル・デバイスの前記メモリ上のスペースを販売するステップと、
前記情報と前記ユーザ・プロファイルとを比較するステップと、
前記ユーザ・プロファイルに関する少なくとも１つの基準とマッチする各ユーザ毎の情報を記憶するステップと、
放送内の第１の所定のポイントにおいて、記憶された前記情報を前記サービスの代わりに表示させるステップと、
記憶された前記情報の表示を第２の所定のポイントで停止させ、前記サービスに戻るステップと、
を含む方法。
【請求項１７】
記憶された前記情報がユーザに表示される回数に従って前記第３者に課金するステップを更に含む、請求項１６に記載の方法。
【請求項１８】
記憶された前記情報の占有スペース量に従って前記第３者に課金するステップを更に含む、請求項１６に記載の方法。
【請求項１９】
前記ユーザ・プロファイル及び記憶された前記情報をＳＩＭカード上に記憶するステップを更に含む、請求項１６乃至１８のいずれか一項に記載の方法。
【発明の詳細な説明】
【技術分野】
【０００１】
本発明は、モバイル放送テレビジョンにおいて個人化広告を提供する方法及び装置に関するものである。
【背景技術】
【０００２】
モバイル・テレビジョンは、携帯電話又は他のパーソナル・デバイス上で提供されるテレビジョン・サービスである。モバイルＴＶは、主に個人が旅行先又は他の公共スペースにおいて小型のＴＶ画面上で番組を視聴するためのものである。
【０００３】
テレビジョン番組は一般に、デジタル・ビデオ放送規格に従ってモバイル・デバイス上で提供される。そのようなデジタル・ビデオ放送規格の一例として、携帯機器向けデジタル・ビデオ放送（ＤＶＢ‐Ｈ）がある。ＤＶＢ‐Ｈは、放送サービスをＤＶＢ‐Ｔに適合させて携帯型受信機に提供するための技術仕様である。小型携帯端末の電力消費を低減するのに利用されるタイム・スライス技術では、データは特定のタイムスロット毎にバースト単位で伝送される。特定のタイムスロット毎又はタイムスロット・シーケンス毎に複数のチャンネルを伝送することができる。各タイムスロット毎に運ばれるデータは放送事業者が定義することができ、そのようなデータとしては、ビデオ・シーケンス、音楽シーケンス、広告シーケンス、及び他の任意の種類のデータ・シーケンスを挙げることができる。
【発明の開示】
【発明が解決しようとする課題】
【０００４】
本発明の一目的は、ＤＶＢ‐Ｈ受信機上で個人化広告を提供する方法を提供することである。
【０００５】
本発明の別の一目的は、ＤＶＢ‐Ｈタイプのテレビジョン・サービスをモバイル・デバイス上で提供する様々な手法を提供することである。
【０００６】
本発明の他の一目的は、ユーザと放送事業者の双方にとってより良いサービスを提供するために、モバイル・デバイス上で使用可能な記憶能力の使用形態を改善することである。
【課題を解決するための手段】
【０００７】
本発明は、添付の特許請求範囲の独立請求項で定義される方法及びシステムを対象とするものである。
【０００８】
より具体的には、本発明は、デジタル放送を介して放送されるサービスを個人化する、パーソナル・デバイスで使用される方法であって、前記パーソナル・デバイス上で表示される個人化のためのコンテンツを受信するステップと、前記コンテンツと、前記パーソナル・デバイス上に記憶されているユーザ・プロファイルとを比較して、前記パーソナル・デバイス上に記憶される記憶済み個人化コンテンツ（ｓｔｏｒｅｄ  ｐｅｒｓｏｎａｌｉｚｅｄ  ｃｏｎｔｅｎｔ）を生成するステップと、前記パーソナル・デバイス上で表示される放送サービスを受信するステップと、前記表示を所定の時点で停止させ、その代わりに前記記憶済み個人化コンテンツを表示させるステップと、を含む方法を開示する。
【０００９】
本発明の別の一態様によれば、デジタル放送を介してパーソナル・デバイスに放送されるサービスを個人化する方法であって、前記パーソナル・デバイス上に表示される個人化のためのコンテンツであって、前記パーソナル・デバイス上に記憶される記憶済み個人化コンテンツを生成するために前記パーソナル・デバイス上に記憶されているユーザ・プロファイルと比較される個人化のためのコンテンツを送信するステップと、前記パーソナル・デバイス上で表示されるサービスであって、前記記憶済み個人化コンテンツを表示すべき所定の時点で中断され得るサービスを前記パーソナル・デバイスに放送するステップと、を含む方法が提供される。
【００１０】
本発明の別の一態様によれば、それぞれユーザ・プロファイルが記憶されるメモリを有する複数のパーソナル・デバイスにサービスを放送するデジタル・ビデオ放送サービスを運営する方法であって、第３者がユーザに表示される情報を記憶するための前記パーソナル・デバイスの前記メモリ上のスペースを販売するステップと、前記情報と前記ユーザ・プロファイルとを比較するステップと、前記ユーザ・プロファイルに関する少なくとも１つの基準とマッチする各ユーザ毎の情報を記憶するステップと、放送内の第１の所定のポイントにおいて、記憶された前記情報を前記サービスの代わりに表示させるステップと、記憶された前記情報の表示を第２の所定のポイントで停止させ、前記サービスに戻るステップと、を含む方法が提供される。
【００１１】
本発明の他の実施形態は、添付の特許請求の範囲の従属請求項に示されている。
【００１２】
本発明の利点は、広告を特定のモバイル・デバイスの特定のユーザ向けに個人化することができることである。個人化広告シーケンスは、ユーザが置かれる様々な環境及び時間帯に応じて決定することができる。
【００１３】
また、追加的なメモリ・ファシリティを提供することにより、当該メモリ・ファシリティにある種の広告を事前に記録し、ユーザがいつでも使用できる状態にすることができる。例えば、新しいサービスを宣伝する電話事業者の広告であれば、個人化広告をユーザに提示することができるように、当該広告をユーザ・プロファイルに基づいてダウンロードし、新世代高密度ＳＩＭカードに記憶することができる。最も重要な利点の１つは、モバイル機器上に所在するユーザ・プロファイルが該当するユーザへの広告に加えて他の情報の広告及び提示にも影響を及ぼすことである。
【００１４】
以下では例示として、添付図面を参照しながら本発明について説明する。
【発明を実施するための最良の形態】
【００１５】
図１を参照すると、例えばＤＶＢ‐Ｈヘッド・エンド１００は、３つのテレビジョン・チャンネルＡ２  １１０、ＲＦ３  １２０、及びＡｒｔｅ  １３０を放送している。これらの放送はそれぞれ、ＤＶＢ‐Ｈ伝送規格の標準的な慣行と共通する特定のＩＰｃａｓｔタイムスロットを介して配信されている。また、ＩＰｃａｓｔ広告ダウンロード（ａｄｖｅｒｔｉｓｉｎｇ  ｄｏｗｎｌｏａｄ）は、適切なタイムスロットを介して放送されるＦＬＵＴＥプロトコルを利用して配信される。これらの３つのテレビジョン・チャンネル及び広告ダウンロードは、ユーザ１  １６０、ユーザ２  １７０、及びユーザ３  １８０に放送される（１５０）。
【００１６】
ＦＬＵＴＥプロトコルを使用してダウンロードされるＩＰｃａｓｔ広告は、システム全体で定義される単位継続時間（ｕｎｉｔ  ｄｕｒａｔｉｏｎ）の倍数に相当する継続時間を有する複数の広告オブジェクトを含む。いくつかの広告オブジェクトを組み合わせて、本発明に係るスケジューリングが可能となるようにビデオ・チャンネル上でプログラムされる広告シーケンスと同一の継続時間を有する特定の広告シーケンスを形成することができる。
【００１７】
各ユーザは、専用ＳＩＭカードを含むモバイル・デバイスを有する。以下でより詳細に説明するが、ＳＩＭカードは情報記憶容量を有する。ＳＩＭカードに記憶される情報のうちの１つは、プロファイル情報を含めたユーザの詳細情報である。このようなプロファイル情報は、例えば氏名、年齢、性別、住所、申込み内容、プリファレンス、及びユーザの個人プロファイルの決定に関与し得る他の任意の情報等の個人データを含むことができる。上記で列挙した情報は決して限定的なものではなく、使用が想定される他の任意の情報要素が含まれる可能性がある。プロファイル情報を形成するデータは、申込みの時点でサービス・プロバイダがダウンロードすることも、ユーザが入力することも、放送伝送又は電話伝送を介してダウンロードすることもできる。当初情報を記憶する手法又は後日情報を更新する手法については何らの制約も存在しない。
【００１８】
モバイル・デバイスは、ＰＤＡ、電話、コンピュータ、あるいは他の任意のパーソナル・デバイス又はポータブル・デバイスであってよい。
【００１９】
次に図２を参照すると、放送広告セレクション（ｂｒｏａｄｃａｓｔ  ａｄｖｅｒｔｉｓｉｎｇ  ｓｅｌｅｃｔｉｏｎ）２００が示されている。放送広告セレクション２００は、ＦＬＵＴＥプロトコルを使用してデータキャスト・チャンネルを介して周期的に送信される複数の広告オブジェクトＡ  ２１０、Ｂ  ２１１、Ｃ  ２１２、Ｄ  ２１３、Ｅ  ２１４、Ｆ  ２１５、Ｇ  ２１６、Ｈ  ２１６、Ｉ  ２１８、Ｋ  ２１９、及びＬ  ２２０を含む。例えば、広告Ｂは３単位継続時間、広告Ｅは２単位継続時間、広告Ｆは１単位継続時間の広告である。広告オブジェクトの放送広告セレクションが受信されると、ユーザは、記憶すべき特定の広告を選択する。この選択はユーザ・プロファイルに依存し、当該ユーザにとって最も適切な広告が選択されることになる。このような選択は、例えば年齢、性別、地理的位置等に基づいて行うことができる。モバイル・デバイスは移動可能であるため、モバイル・デバイスの位置を識別することができ、このような位置を利用して特定のユーザが使用可能なユーザ広告を判定することができる。例えば、ユーザが特定の町内にいる場合は、広告をその町内のサービス及び企業と関係付けることができる。
【００２０】
図２から分かるように、ユーザ１の選択は、広告Ａ、Ｂ、Ｅ、Ｆ、Ｇ、Ｈ、Ｋ、及びＬである。ユーザ２は、広告Ａ、Ｃ、Ｄ、Ｅ、Ｇ、Ｉ、Ｌを見たいと思っている。ユーザ３は、広告Ａ、Ｃ、Ｅ、Ｆ、Ｈ、Ｉ、Ｋ、及びＬを見たいと思っている。
【００２１】
一例として、広告Ｂを特定の化粧品とし、ユーザ１を女性としてもよい。ユーザ１は広告Ｂの閲覧に興味を示す可能性があるが、ユーザ２及び３がいずれも男性であれば、そのような興味を示さない可能性もある。同様に、ユーザ２がフランスのニースで発見されることもあり、広告Ｄがニース内のピザ・レストランに関するものであれば、ユーザ２の位置は、局所化された個人化広告に関する自動プロファイル選択となる。
【００２２】
次に図３を参照すると、例えばユーザ１のモバイル・デバイス内のＳＩＭカード上に記憶されるテーブル３００が示されている。テーブル３００は、広告ＩＤ  ３１０、広告継続時間３２０、重み係数３３０、該当する開始期間３４０、該当する終了期間３５０、及び他の情報に関する列３６０を含む。広告ＩＤ  ３１０は図２に示した広告に対応する。広告継続時間３２０は広告の存続期間数を示し、やはり図２の広告に対応する。重み係数３３０は、ユーザによって高い重みが与えられた特定の広告の性質を示す、ユーザ・プロファイルから導出される特徴とすることができる。別法として、重み係数３３０は、ユーザ・プロファイルに基づく諸種の選択に影響を及ぼす他の要因を示すこともできる。「Ｆｒｏｍ」の列３４０は、その広告の再生開始時間を示す。「Ｆｒｏｍ」の列３４０は、ユーザによって定義することも広告主によって定義することもできる。「Ｔｏ」の列３５０は、そのような広告の提示終了時間を示す。「その他」の列３６０は、広告、ユーザ、ユーザ・プロファイル等に関するその他の情報を含むことができる。
【００２３】
図４は、時間Ｔ１の広告を含む放送の処理を示している。ここではＤＶＢ‐Ｈ放送４００が放送される。ＤＶＢ‐Ｈ放送４００には、ビデオ・ライブ４１０の後に一般的な広告４２０が含まれ、その後に再びビデオ・ライブ４１０が含まれている。一般的な広告４２０は放送事業者から提供され、ＤＶＢ‐Ｈ規格に従い、該当する特定のチャンネルを介して通常の手法で送信される。参照番号４３０、４４０、及び４５０は、それぞれユーザ１、２、及び３によって閲覧される情報を示している。ユーザはビデオ・ライブ４１０を見ている。しかしながら、ユーザ１は広告を個人化しているため、通常はビデオが停止した時点で一般的な広告が開始され、代替的な処理が実行されることになる。この代替的な処理において、一般的な広告は、ユーザ１のプロファイルに基づいてユーザ選択された広告と置き換えられる。したがって、ユーザ１は、一般的な広告４２０の代わりに広告Ａ  ２１０、Ｂ  ２１１、及びＥ  ２１４を閲覧することになる。一般的なものであれ個人化されたものであれ、広告スロットの経過後は、ユーザはビデオ・ライブ４１０の閲覧を継続する。一般的な広告の継続時間の長さは、広告スロットの開始時点で指示される。このような指示に基づいて、当該スロットを埋めるのに必要となる個人化広告数を計算し判定することができる。一般的な広告は、ユーザ定義された広告ブロックと同一の長さの広告ブロックから同様の形で構成されることに留意していただきたい。
【００２４】
ユーザ２の個人化広告の選択は、ユーザ１の選択とは異なる。ユーザ２は、ビデオ・ライブに戻る前に広告Ａ  ２１０、Ｇ  ２１６、Ｉ  ２１８、及びＬ  ２２０を閲覧する。同様に、ユーザ３は、別の１組の広告Ｃ  ２１２、Ｆ  ２１５、Ｈ  ２１６、Ｉ  ２１８、Ｋ  ２１９、Ｌ  ２２０を閲覧する。図４に関する上記の説明から分かるように、各ユーザにはそれぞれ完全に異なる広告が表示されることになる。一方、広告オブジェクトは所定の継続時間を有する故に、広告の開始から終了までの時間遅延はそれぞれ同一となる。
【００２５】
図５は、時間Ｔ２の同一のシナリオを示している。この時点では、各ユーザに対して異なる広告セレクションが提示されることが分かるだろう。上記の場合と同様に、ここでの広告セレクションもまた、ユーザのユーザ・プロファイルと、ユーザ・デバイスのローカルに記憶されている使用可能な広告とに基づいている。
【００２６】
次に図６を参照して、上述の機能を実現するクライアント・アーキテクチャについて詳細に説明する。ＤＶＢ‐Ｈ受信機５００は、入力ＤＶＢ‐Ｈ放送を受信する。入力ＤＶＢ‐Ｈ放送は、ＦＬＵＴＥ規格又はビデオの一部を形成するファイル及びデータを含むことができる。ＦＬＵＴＥ規格の一部を形成するデータ及びファイルはＦＬＵＴＥ要素５０２において受信され、ビデオはビデオ要素５０４において受信される。ＦＬＵＴＥデータはいくつかの異なる目的で使用することができる。しかしながら、本発明では広告の処理方法及び記憶方法についてのみ詳細に説明する。ＦＬＵＴＥ受信機５０２において受信された広告は、高密度ＳＩＭカード又は他の任意のメモリ・カード５０７に記憶される。このメモリは、ビデオ・ストリーマ５０６と関連付けられていることも別の位置で発見されることもある。ビデオは、（スイッチ５０８が所定の位置５１８にあるときに）スイッチ５０８からバッファ５１０に受け渡される。ビデオはバッファに入れられた後、ＭＰＥＧ４デコーダ５１２を介してビデオ・ストリーマ５１４に送られる。その後、ビデオはユーザに表示される。
【００２７】
バッファ５１０は広告シーケンス検出器５１６にも接続されており、広告シーケンス検出器５１６は広告ビデオ・ストリーマ５０６に接続されている。広告シーケンス検出器は、スイッチを位置５１８から位置５２０に変更する能力を有する。これにより、広告ビデオ・ストリーマ５０６は、通常のビデオの代わりにバッファ５１０をロードすることが可能となる。広告シーケンス検出器は、ユーザ・プロファイル詳細情報５２２にもアクセスする。先述のとおり、ユーザ・プロファイル詳細情報は、ＳＩＭ上に記憶することもユーザ・デバイス内の他の任意のメモリ位置に記憶することもできる。
【００２８】
先述のとおり、ビデオ・ストリーマ５１４から出力されるビデオ・ストリーム内には番組セクションの後に広告セクションが存在し、その後に再び番組セクションが存在する。バッファ内の広告に到達する直前又は到達した時点で、広告シーケンス検出器によって標識が検出される。ユーザ・プロファイル及び個人化広告が該当するユーザが使用可能なものであることを示す標識が存在する場合には、広告シーケンス検出器はスイッチ５０８を位置５２０に切り替える。そのようなユーザ・プロファイル詳細情報又は個人化広告スキームが存在しない場合には、広告シーケンス検出器はスイッチを位置５１８のままとし、ユーザは当該ビデオ・ストリームに含まれる一般的な広告を閲覧することになる。
【００２９】
カスタマイズされた広告のユーザ・プロファイル詳細情報が広告シーケンス検出器によって識別される前者の例では、スイッチ５０８は位置５２０に切り替えられる。広告シーケンス検出器は、ユーザ・プロファイル詳細情報の変換処理を実行する。先述のとおり、この変換処理によって、個人化広告がユーザ・プロファイルに従ってビデオ・ストリーマ５０６からバッファ５１０にビデオ・ストリーミングされる。
【００３０】
ビデオが再開される直前の広告シーケンスの終了時点で、スイッチを位置５２０から位置５１８に戻すように促す別の標識が広告シーケンス検出器によって検出される。その後、ユーザは、各自が視聴していたビデオ、映画、又は他の番組を見る。広告シーケンス検出器は、上述の標識に基づくあるいは他の形をとる可能性もあるユーザ・プロファイル・テーブル、広告ストリーマ５０６、及び広告スケジューラを使用する。広告スケジュールは、ビデオ・シーケンスの開始時点でダウンロードされ、広告シーケンス検出器に記憶されるものであればどのような形をとってもよい。時間信号を使用して、広告シーケンス検出器が必要な時点で広告を個人化するように切り替えることができる。広告シーケンス検出器がユーザ・プロファイル詳細情報又は使用可能な他の情報をどのように利用するかは個々の環境に依存し、また、その細部は状況に応じて異なる可能性がある。しかしながら、ビデオ・ストリーム上の一般的な広告が個人化広告と置き換えられる原理は共通である。
【００３１】
ユーザ・プロファイル詳細情報は、広告シーケンス検出器内のテーブルに記憶される。このテーブルは、ユーザ・デバイス内の別の場所に記憶されるデータに基づいて生成することができる。先述のとおり、ユーザ・プロファイル詳細情報が記憶される場所の１つは、ＳＩＭカード内である。
【００３２】
近年、最大２５６メガバイトのフラッシュ・メモリを含む大容量ＳＩＭカードが提案されている。本発明によれば、このようなフラッシュ・メモリ上にユーザ・プロファイル詳細情報を記憶することだけでなく、個人化広告に関連する広告オブジェクトもフラッシュ・メモリ上に記憶し得ることが提案される。広告オブジェクトは、サービスのユーザ登録当初に記憶することも、ユーザが自身のデバイスを使用してサービスを開始した後にダウンロードし、フラッシュ上に記憶することもできる。今日のモバイル・デバイス技術では、ソフトウェア・ダウンロードは一般的である。
【００３３】
上述の新しい高容量ＳＩＭは比較的高額であるため、それらの使用を望む電話事業者もコスト影響の観点から使用を控えることになる。一方、本発明によれば、現在使用可能な高容量ＳＩＭカードを導入及び採用するための異なるビジネス・モデルが存在する。このビジネス・モデルは、メモリを使用して広告を記憶し、その後記憶スペースの対価として広告主に課金することによって実現することができる。その結果、コストの一部が広告収入から回収されるため、ユーザ及びすべての事業者にとってのＳＩＭカードの有効コストが減少する。事業者は、ユーザ・プロファイルを利用して特定のタイプのユーザに表示されるＳＩＭカード上の広告スペースを広告主に販売することができる。
【００３４】
本発明に関連するビジネス・モデルでは、様々なシナリオが想定され得る。１つのシナリオでは、広告主はユーザ登録の開始時点から広告をフラッシュ・カード上に記憶することができる。代替的な環境では、広告主はユーザ登録の開始時点で広告を記憶し、その後時間やユーザ・プロファイル等を含む１つ又は複数のパラメータに従って変更される代替的な又は追加的な広告をダウンロードすることができる。代替的なシナリオでは、広告主はフラッシュ・カード上の広告スペースをレンタルすることができ、その特定の時点、位置、又は他の何らかの理由で適切とされる広告をソフトウェア・ダウンロードによってダウンロードすることができる。
【００３５】
広告主に対しては、任意の適切なメカニズムに基づいて広告スペースの課金を行うことができる。例えば、コンテンツを閲覧するユーザ数、メモリ・スペース量、又は他の任意のメカニズムに基づいて課金することができる。
【００３６】
また、ＳＩＭカードは、他の広告情報を記憶する他のユーザによってレンタルされ得る他の領域を有することができる。例えば、特定のユーザに関する電話帳の一部を収容するために、フラッシュ・メモリの一部が電話事業者によってレンタルされることもある。ユーザ・メモリ要素上の広告スペースを販売するアイデアは、本発明の一代替実施形態の基礎となる。
【００３７】
広告主及び広告スペースの貸し出しを希望する他の人々は、ＳＩＭカードのフラッシュ・メモリだけでなく、ユーザ・デバイスに関係する他の任意のメモリ領域も利用することができるようになることを理解していただきたい。ユーザ・デバイスをユーザに提供する製造業者又はサービス・プロバイダは、広告主及び他のユーザが利用可能な広告又は他のダウンロード・スペースについて責任を負う。例えば、ユーザに対する製品版ゲームの販促として体験版をダウンロードさせることもできる。メモリの１セクションを利用してユーザ位置に基づいて広告を個人化することができる。例えば、ユーザ位置に基づいて、ホテル、レストラン、映画館、他のアトラクション等の局所化情報用スペースを利用することができる。このスペースは、ユーザの所在地に応じて異なる広告主又は情報提供者にレンタルすることができる。素材は、各状況に応じてソフトウェア・ダウンロード又は他の任意の適切な手段によってダウンロードすることができる。ユーザ・デバイスのメモリ上のスペースを販売することによって多種多様な応用例を実現することができる。その結果、サービス・プロバイダ及びユーザは、デバイス及びサービスの一部の有効コストを削減することができる。収益源の重点を変更するこのようなビジネス・モデルは、新世代ＳＩＭカード等の高額な機器の利用を可能にし、それによって本発明の一実施形態を構成する。
【００３８】
次に図７を参照すると、個人化広告の方法ステップに関するフローチャートが示されている。
【００３９】
ある時点でユーザ・プロファイルが記憶される（ステップ６００）。その後、個人化可能な広告がユーザ・デバイス上のいずれかの適切なメモリ位置にダウンロードされ又は記憶される（ステップ６０２）。先述のとおり、このメモリ位置は、ＳＩＭカードあるいはユーザ・デバイス上の他の任意の適切なメモリの一部を形成することができる。その後、記憶又はダウンロードされた広告とユーザ・プロファイルとが比較され、ユーザ・プリファレンスを利用してユーザ・プロファイルとのマッチが識別される（ステップ６０４）。その後、ユーザ・プロファイル又はユーザ・プリファレンスとマッチした広告が個人化広告として記憶される（ステップ６０６）。
【００４０】
一方、ユーザは、いくつかの一般的な広告を含むＤＶＢ‐Ｈ放送を視聴することを決定する（ステップ６０８）。スケジューリングが使用される場合又は標識に応答して、広告シーケンス検出器は、所定の時点で広告スロットが近付いていることを検出する（ステップ６１０）。その後、個人化広告が使用可能であるか否かが判定される（ステップ６１２）。個人化広告が記憶されている場合には（ステップ６１４のＹｅｓ）、個人化広告へのアクセスが行われる（ステップ６１６）。つまり、記憶済みの個人化広告は、ユーザ・プロファイル・テーブルのスケジューリング又はその時点の表示特性を規定する他の任意のパラメータに従ってユーザに表示されることになる（ステップ６１８）。このような表示を制御することが可能なパラメータは、時間、位置、個人プリファレンス等とすることができる。
【００４１】
しばらくすると、広告シーケンス検出器は広告スロットの終了を検出する（ステップ６２０）。この時点で個人化広告が停止され、放送は通常の番組に戻される（ステップ６２２）。その後、ユーザは、ステップ６１０で次の広告シーケンスが検出されるまで番組の視聴を継続することができる。別法として、ユーザは広告表示前、広告表示中、あるいは広告表示後の任意の時点で放送の視聴を止めることができ、その時点で全体の処理が終了する。
【００４２】
ステップ６１２で、使用可能な個人化広告が存在しない場合には（ステップ６２６のＮＯ）、ステップ６２８で一般的な広告が表示され、又は元のＤＶＢ放送に含められる。広告スロット終了時点（ステップ６３０）で通常の番組が再開され（ステップ６２２）、デバイスは、新しい広告スロットが検出されるまで再び待機する（ステップ６１０）。
【００４３】
上記では、本発明を特に個人化広告の提供に関して説明してきた。しかしながら、個人化放送を記憶するのに十分なメモリが存在すれば、上記と同一の処理を使用してＤＶＢ‐Ｈ環境において個人化番組等の他の要素を個人化することができることを理解していただきたい。本発明によれば、広告から様々な情報をダウンロードし記憶することができる。
【００４４】
また、ユーザ・メモリ・デバイス上の広告スペース又は他のスペースを販売する上記のビジネス・モデルは、様々な分野で活用することができ、様々な選択肢を提供することができる。
【００４５】
以上、本発明を好ましい一実施形態に関して具体的に図示し説明してきたが、本発明の趣旨及び範囲から逸脱しない限り、本発明の実施形態の細部に様々な変更を施すことができることを理解していただきたい。
【図面の簡単な説明】
【００４６】
【図１】典型的なモバイル・テレビジョン環境を示すブロック図である。
【図２】ダウンロードされる広告クリップと、広告が表示される時点の広告クリップのユーザ選択とを示す図である。
【図３】特定のユーザのクライアント広告情報を示す表である。
【図４】第１の時点におけるユーザへの放送情報と、ユーザ・プロファイルに従って配列される後続のユーザ固有広告とを示す図である。
【図５】第２の時点におけるユーザへの放送情報と、ユーザ・プロファイルに従って配列される後続のユーザ固有広告とを示す図である。
【図６】システム動作を説明するためのクライアント・アーキテクチャを示すブロック図である。
【図７】特定のユーザ・プロファイルを使用して広告クリップを判定する方法ステップを示すフローチャートである。
【図１】
2010502143.tif 000003
【図２】
2010502143.tif 000004
【図３】
2010502143.tif 000005
【図４】
2010502143.tif 000006
【図５】
2010502143.tif 000007
【図６】
2010502143.tif 000008
【図７】
2010502143.tif 000009
【国際調査報告】
2010502143.tif 000010
2010502143.tif 000011
2010502143.tif 000012